(57)【要約】【課題】  中継用ドレインにあって、猛烈な豪雨時に生じる雨水の噴き出しを防止し得る雨水噴き出し防止装置を提供する。【解決手段】  排水管部３の下部開口径より径小な漏斗状導出口１５が下端に開口された誘導パイプ１３を、少なくとも上部若しくは全体を縦樋管１２の下端部に内嵌して該縦樋管１２の軸線方向に略一致する取付方向に保持するとともに、前記漏斗状導出口１５をドレイン受皿２の排水管部３と同心状とし、かつ該漏斗状導出口１５から排出される雨水直下流と排水管部３の内周壁との間に筒状通気領域ｔが形成されるように配設した。【選択図】    図１
2008144532.tif 000002
【特許請求の範囲】
【請求項１】
下方に連成された排水管部を床に挿通させて該床に付設されるドレイン受皿と、該ドレイン受皿上に固定されるストレーナとを備える中継用ドレインを、各階の上下で一致する位置に配設するとともに、縦樋管を、上端を上階のドレイン受皿の排水管部に嵌装し、下端を下階のドレイン受皿上に所定間隔で臨ませて各階の中継用ドレイン間に垂直に差し渡してなる中継用ドレイン装置において、
前記排水管部の下部開口径より径小な漏斗状導出口が下端に開口された誘導パイプを備え、該誘導パイプが、少なくとも上部若しくは全体が前記縦樋管の下端部に内嵌されて該縦樋管の軸線方向に略一致する取付方向に保持されるとともに、漏斗状導出口を排水管部と同心状とし、かつ該漏斗状導出口から排出される雨水直下流と排水管部の内周壁との間に筒状通気領域が形成されるように配設されていることを特徴とする中継用ドレイン装置における雨水噴き出し防止装置。
【請求項２】
誘導パイプが、縦樋管の下端とドレイン受皿との上下間隔より小さい高さ寸法で形成されていることを特徴とする請求項１記載の中継用ドレイン装置における雨水噴き出し防止装置。
【請求項３】
誘導パイプの外周面に、縦樋管の下端面に当接して誘導パイプの嵌入量を規定する係止部が形成されていることを特徴とする請求項１又は請求項２記載の中継用ドレイン装置における雨水噴き出し防止装置。
【請求項４】
誘導パイプの少なくとも上部内周面が、縦樋管の内周面から下方に向けて縮径する漏斗状面となっていることを特徴とする請求項１乃至請求項３の何れかに記載の中継用ドレイン装置における雨水噴き出し防止装置。
【発明の詳細な説明】
【技術分野】
【０００１】
本発明は、各階の床に付設された中継用ドレイン間に縦樋管を差し渡してなる中継用ドレイン装置にあって、特に豪雨時に生じる中継用ドレインからの雨水の噴き出しを防止し得る雨水噴き出し防止装置に関する。
【背景技術】
【０００２】
一般に、多階層住宅等の建物に設置される中継用ドレイン装置は、図６に示すように、各階のバルコニーやベランダ（以下、これらを「バルコニー等」という）の床Ｆに挿通される排水管部ｃを下方に連成したドレイン受皿ｂ上に、外周に通水孔ｄを多数形成したストレーナｅを乗載してなる中継用ドレインａを、各階の床Ｆ毎に上下で一致する位置に配設するとともに、縦樋管ｆを、その上端を上階側のドレイン受皿ｂの排水管部ｃに嵌装し、下端を下階側の中継用ドレインａのストレーナｅ内に挿入した状態で、支持金具ｇ（図１２参照）を介して建物の壁面等に固定することにより、各階の中継用ドレインａ，ａ間に垂直に差し渡して構成されている（例えば、特許文献１参照）。そして、各階において床Ｆ上の雨水をストレーナｅから当該階のドレイン受皿ｂ内に流入させて排水管部ｃから縦樋管ｆへ排水するとともに、上階の中継用ドレインａから縦樋管ｆを通って流下する雨水を下階の中継用ドレインａのストレーナｅ内で一旦放出した後、ドレイン受皿ｂ内に流入させることによって、当該階の雨水に合流させて縦樋管ｆで順次下階へ送るようになっている。
【０００３】
ここで、縦樋管ｆから下階のストレーナｅ内に雨水を放出すると、図６に示すように、ドレイン受皿ｂ上に落下した雨水の一部が跳ね返り、その飛沫がストレーナｅに形成された通水孔ｄから外部へ飛散する場合がある。そこで、これを防止する手段として、図７に示すように、縦樋管ｆの外径より径大な導入口ｈを上端に備え、かつ、前記排水管部ｃの上部開口径より径小な導出口ｊを下端に備えてなる誘導パイプｋを、その導入口ｈを縦樋管ｆの下部位置に臨ませ、かつ、導出口ｊを排水管部ｃの上部開口縁との間に所要の流通間隙ｓが生じるように臨ませた状態で、ストレーナｅ内に配設するようにした構成が本願出願人によって既に提案されている（特許文献２参照）。
【０００４】
また、中継用ドレインの雨水飛散防止手段として、図８に示すように、下端開口が排水管部ｃより径小なテーパー管からなる接続筒ｍの上部を、ストレーナｅ内に挿入された縦樋管ｆの下端部に外嵌するとともに、該接続筒ｍをストレーナｅ内で、該ストレーナｅの上端部に径方向から螺合される止螺子ｎによって固定するようにした構成も知られている（例えば、特許文献３参照）。
【特許文献１】特開２００５−１４６５８１号公報（段落０００２、図７）
【特許文献２】特開２００２−２０１７６８号公報
【特許文献３】実開昭６３−１１７９２２号公報
【発明の開示】
【発明が解決しようとする課題】
【０００５】
ところで、前記特許文献１に開示されている一般的な中継用ドレイン装置にあっては、時間降雨量が８０mm以上の非常に激しい豪雨になると、ドレイン受皿ｂから排水管部ｃを介して縦樋管ｆ内へ大量の雨水が空気を巻き込んで流入し、雨水の激しい乱流によって縦樋管ｆ内で雨水と空気とが混じり合って多量の気泡が発生する。このため、縦樋管ｆ内での雨水の体積が増加して流れが悪くなるとともに、縦樋管ｆ内で集まった気泡が空気の塊となって上方に浮き上がって、ドレイン受皿ｂから流入した雨水を押し戻す作用が生じることにより、上階の中継用ドレインａから縦樋管ｆを通って流下する大量の雨水が下階の中継用ドレインａのストレーナｅの通水孔ｄから激しく噴き出すという雨水の噴き出し現象が発生し、このような雨水の噴き出し現象が発生すると、当該階の床Ｆ上の水位が上昇して、掃き出し窓やドア等のバルコニー等に隣接する建物開口部から雨水が浸入して屋内に浸水被害をもたらすという問題点があった。
【０００６】
ここで、前記特許文献２に開示されている雨水飛散防止手段としての誘導パイプｋ（図７参照）にあっては、通常量の降雨時における外部への飛沫の飛散を防止することはできるものの、上記のような非常に激しい豪雨時には、上階の中継用ドレインａから縦樋管ｆを通って流下する大量の雨水が、縦樋管ｆの下端部と誘導パイプｋの導入口ｈとの間に生じている隙間ｐから溢れ出して、ストレーナｅの通水孔ｄから周囲の床Ｆ上に流出するため、床Ｆ上の水位の上昇を防止することはできなかった。
【０００７】
一方、前記特許文献３に開示されている雨水飛散防止手段としての接続筒ｍ（図８参照）にあっては、接続筒ｍの上部が縦樋管ｆの下端部に外嵌されていることにより、上記のような縦樋管ｆの下端部との間の隙間ｐ（図７参照）は生じないが、ストレーナｅ内に嵌挿される縦樋管ｆの下端部に接続筒ｍの上部を外嵌し得るようにするために、ストレーナｅの上部内径を拡径した専用の中継用ドレインａを作製しなければならず、図６に示すようなストレーナｅの上部内周面と縦樋管ｆの外周面との間に僅かな隙間しか生じない一般的な中継用ドレインａには適用することができないという問題点があった。
【０００８】
本発明は、かかる従来の問題点を解決するためになされたものであり、豪雨時における中継用ドレイン装置からの雨水の噴き出しを防止し得るとともに、ストレーナの上部内周面と縦樋管の外周面との間に僅かな隙間しかない一般的な中継用ドレインに適用可能であり、さらに先付け施工性及び後付け施工性にも優れた中継用ドレイン装置における雨水噴き出し防止装置を提供することを目的とするものである。
【課題を解決するための手段】
【０００９】
本発明は、下方に連成された排水管部を床に挿通させて該床に付設されるドレイン受皿と、該ドレイン受皿上に固定されるストレーナとを備える中継用ドレインを、各階の上下で一致する位置に配設するとともに、縦樋管を、上端を上階のドレイン受皿の排水管部に嵌装し、下端を下階のドレイン受皿上に所定間隔で臨ませて各階の中継用ドレイン間に垂直に差し渡してなる中継用ドレイン装置において、前記排水管部の下部開口径より径小な漏斗状導出口が下端に開口された誘導パイプを備え、該誘導パイプが、少なくとも上部若しくは全体が前記縦樋管の下端部に内嵌されて該縦樋管の軸線方向に略一致する取付方向に保持されるとともに、漏斗状導出口を排水管部と同心状とし、かつ該漏斗状導出口から排出される雨水直下流と排水管部の内周壁との間に筒状通気領域が形成されるように配設されていることを特徴とする中継用ドレイン装置における雨水噴き出し防止装置である。
【００１０】
ここで、前記誘導パイプの上端には、縦樋管の内径に略等しい導入口が開口されている。また、縦樋管の下端部に内嵌された誘導パイプは、接着剤によって縦樋管と強固に接合することが好ましい。尚、前記構成中の雨水直下流とは、まっすぐ下に落ちる雨水流を意味し、豪雨時に漏斗状導出口から勢いよく真下に排出される円柱状の雨水流である。
【００１１】
前記雨水噴き出し防止装置にあって、誘導パイプが、縦樋管の下端とドレイン受皿との上下間隔より小さい高さ寸法で形成されている構成が提案される。
【００１２】
また、誘導パイプの外周面に、縦樋管の下端面に当接して誘導パイプの嵌入量を規定する係止部が形成されている構成が提案される。
【００１３】
さらに、誘導パイプの少なくとも上部内周面が、縦樋管の内周面から下方に向けて縮径する漏斗状面となっている構成が提案される。
【発明の効果】
【００１４】
本発明は、上述したように、排水管部の下部開口径より径小な漏斗状導出口が下端に開口された誘導パイプを備え、該誘導パイプが、少なくとも上部若しくは全体が前記縦樋管の下端部に内嵌されて該縦樋管の軸線方向に略一致する取付方向に保持されるとともに、漏斗状導出口を排水管部と同心状とし、かつ該漏斗状導出口から排出される雨水直下流と排水管部の内周壁との間に筒状通気領域が形成されるように配設されているから、豪雨時に、縦樋管内で発生した気泡が上部へ浮き上がって生じる空気を前記筒状通気領域によって外部に排出することができ、ドレイン受皿からの雨水の流入を円滑に行わせることができるとともに、上階の中継用ドレインから縦樋管を通って流下する大量の雨水が、漏斗状導出口から直下流となって下階側の縦樋管内に直接流入するため、その流入時に巻き込まれる空気量が減少し、縦樋管内で発生する気泡量が減少することとなって、縦樋管内での雨水の体積増加が抑止されて流れが悪くなることがない。これによって、雨水の噴き出し現象を防止することができる。
【００１５】
また、誘導パイプは、少なくとも上部が縦樋管の下端部に内嵌されるものであるため、ストレーナの上部内周面と縦樋管の外周面との間に僅かな隙間しかない一般的な中継用ドレインに適用可能である。これにより、ストレーナｅの上部内径を拡径した専用の中継用ドレインａ（図８参照）を作製する必要がなく、従来の一般的な中継用ドレインの形状を何ら変更することなく取付けが可能であり、中継用ドレイン装置における雨水噴き出し防止装置を安価に提供することができる。
【００１６】
また、誘導パイプは、規格により内径が定められた縦樋管に内嵌されるものであるため、自社製の中継用ドレイン装置のみならず、他社製の中継用ドレイン装置にも適用可能である。
【００１７】
一方、前記誘導パイプが、縦樋管の下端とドレイン受皿との上下間隔より小さい高さ寸法で形成されている構成にあっては、施工時において、縦樋管の下端とドレイン受皿との隙間から誘導パイプを差し入れて、縦樋管の下端に内嵌することにより、誘導パイプを縦樋管の下端部に簡単に取付けることができる。ここで、かかる取付作業は、縦樋管をドレイン受皿の上方位置で垂直に維持し、かつ縦樋管に外嵌したストレーナを上方にずらした状態で行い得るので、既設の中継用ドレイン装置に対する誘導パイプの後付け施工も容易に行うことができる。
【００１８】
また、誘導パイプの外周面に、縦樋管の下端面に当接して誘導パイプの嵌入量を規定する係止部が形成されている構成にあっては、係止部が縦樋管の下端面に当接するまで誘導パイプを縦樋管に内嵌させることにより、その嵌入量が常に一定となる嵌入操作を容易に行うことができる。
【００１９】
さらに、誘導パイプの少なくとも上部内周面が、縦樋管の内周面から下方に向けて縮径する漏斗状面となっている構成にあっては、豪雨時に縦樋管内を流下する大量の雨水の流圧を漏斗状面によって低減させることができるとともに、雨水流に生じる乱流を抑えて滑らかに流下させることができる。
【発明を実施するための最良の形態】
【００２０】
以下に、本発明の第一実施例を、図１，図２に基づいて説明する。
図１に示すように、各階のバルコニー等の床Ｆには、下方に排水管部３が連成されたドレイン受皿２が、排水管部３を床Ｆに挿通させた状態で各床Ｆ毎に上下で一致する位置に付設されている。このドレイン受皿２上には截頭円錐筒状に形成されたストレーナ５が乗載されている。該ストレーナ５は、図２に示すように、側周面に上下方向の矩形状通水孔４が多数開口され、かつ上部に押付螺子７が螺合される三個の螺子孔６が等間隔に穿設されており、その下端鍔縁の透孔１０に挿通した複数の螺子９を、図１に示すように、ドレイン受皿２に部分的に形成されている支持段部８の螺子孔１１に夫々螺合させることにより、ドレイン受皿２上に固定されるようになっている。そして、このドレイン受皿２とストレーナ５とによって中継用ドレイン１が構成されている。ここで、該中継用ドレイン１は、ストレーナ５の上部内周面と後述する縦樋管１２の外周面との間に僅かな隙間しか生じない一般的な形態となっている。
【００２１】
また、前記上下階の中継用ドレイン１には、縦樋管１２が垂直に差し渡されている。該縦樋管１２は、その上端が上階のドレイン受皿２の排水管部３に外嵌され、下端が下階のストレーナ５内に嵌挿されている。そして、各階に配設された中継用ドレイン１と、各階の中継用ドレイン１間に差し渡された縦樋管１２とによって中継用ドレイン装置が構成されている。
【００２２】
ストレーナ５内に嵌挿された縦樋管１２の下端部には、誘導パイプ１３が配設されている。該誘導パイプ１３は、本発明にかかる雨水噴き出し防止装置を構成するものであって、上端に縦樋管１２の内径に略等しい導入口１４が開口される一方、下端には排水管部３の下部開口径より径小な漏斗状導出口１５が開口された短筒体からなり、その上半部分が縦樋管１２に内嵌された状態で接着剤によって接合されている。そして、該誘導パイプ１３は、縦樋管１２の軸線方向に略一致する取付方向に保持されるとともに、漏斗状導出口１５を排水管部３と同心状とし、かつ該漏斗状導出口１５から排出される雨水直下流と排水管部３の内周壁との間に筒状通気領域ｔが形成されるようにして配設されている。また、この配設状態において、床Ｆからドレイン受皿２を介して縦樋管１２に流れ込む雨水の流入を許容する所要の流通間隙ｓが、誘導パイプ１３の漏斗状導出口１５と排水管部３の上部開口縁との間に生じるようにしている。
【００２３】
誘導パイプ１３の外周面には、その上下方向の略中間位置に鍔状の係止部１６が突設されている。該係止部１６は、誘導パイプ１３の内嵌時に縦樋管１２の下端面に当接して、その嵌入量を規定するものであり、これによって、嵌入量が常に一定となる嵌入操作を容易に行うことができるようになっている。
【００２４】
また、誘導パイプ１３の導入口１４である上部内周面には、縦樋管１２に内嵌した状態において、該縦樋管１２の内周面から下方に向けて縮径する漏斗状面１７が形成されている。そして、該漏斗状面１７によって、豪雨時に縦樋管１２内を流下する大量の雨水の流圧を低減させるとともに、雨水流に生じる乱流を抑えて滑らかに流下させることができるようにしている。
【００２５】
また、誘導パイプ１３は、縦樋管１２の下端とドレイン受皿２との上下間隔より小さい高さ寸法で形成されている。これにより、後述するように、既設の中継用ドレイン装置に対する誘導パイプ１３の後付け施工も容易に行うことができるようにしている。
【００２６】
前記誘導パイプ１３は、硬質合成樹脂製またはアルミニウム等の鋳造製となっている。ここで、誘導パイプ１３を鋳造製より安価な硬質合成樹脂製とする場合には、強度，耐候性及び耐久性に優れたポリプロピレン樹脂，塩化ビニル樹脂等が素材に用いられ得るが、塩化ビニル樹脂は廃棄後に焼却するとダイオキシンが発生するため、環境問題を勘案する場合にはポリプロピレン樹脂製とすることが好ましい。
【００２７】
次に、前記縦樋管１２と誘導パイプ１３の施工手順について説明する。ドレイン受皿２が、排水管部３を床Ｆに挿通させた状態で各床Ｆ毎に上下で一致する位置に配設されている状態において、先ず、縦樋管１２にストレーナ５を外嵌して、縦樋管１２の下端よりも若干上方に保持するとともに、該縦樋管１２を垂直にして、その上端を上階のドレイン受皿２の排水管部３に外嵌する。そして、この状態で縦樋管１２の下端とドレイン受皿２との間に生じる間隙から誘導パイプ１３を差し入れて、該誘導パイプ１３の上半部分を縦樋管１２の下端に内嵌する。この時、誘導パイプ１３の上半部分に接着剤を塗布しておくことにより、内嵌後の接合を強固に行わせることができる。また、係止部１６が縦樋管１２の下端面に当接するまで誘導パイプ１３を縦樋管１２に内嵌させることにより、その嵌入量が常に一定となる嵌入操作を容易に行うことができる。尚、縦樋管１２の上端を上階のドレイン受皿２の排水管部３に外嵌する前に、縦樋管１２の下端に誘導パイプ１３を内嵌することも可能である。この場合には、必ずしも誘導パイプ１３全体の高さ寸法を、縦樋管１２の下端とドレイン受皿２との上下間隔より小さくする必要はなく、内嵌状態で縦樋管１２の下端から下方に突出する部分の長さが、縦樋管１２の下端とドレイン受皿２との上下間隔以下となるように形成すればよい。
【００２８】
次いで、ストレーナ５を下方に摺動させて、その下端鍔縁の透孔１０に螺子９を挿通し、その先端をドレイン受皿２の支持段部８の螺子孔１１に夫々螺合し緊締させる。これにより、ストレーナ５が固定される。然る後、ストレーナ５の上部に形成された螺子孔６に押付螺子７を螺着して、その先端を縦樋管１２の周面に圧接させて固定する一方、縦樋管１２の中間部を支持金具ｇ（図７参照）を介して建物の壁面等に固定することにより、施工が完了する。
【００２９】
これにより、誘導パイプ１３が、縦樋管１２の軸線方向に略一致する取付方向に保持される。また、誘導パイプ１３の漏斗状導出口１５が排水管部３と同心状となり、かつ該漏斗状導出口１５から排出される雨水直下流と排水管部３の内周壁との間に筒状通気領域ｔが形成されることとなる。また、誘導パイプ１３の漏斗状導出口１５は、排水管部３の上部開口縁との間に所要の流通間隙ｓが生じた状態で臨むこととなる。
【００３０】
かかる施工状態にあって、排水管部３の下部開口径より径小な漏斗状導出口１５を下端に備えた誘導パイプ１３が、図１に示すように、漏斗状導出口１５を、排水管部３と同心状で該排水管部３の上部開口縁との間に所要の流通間隙ｓが生じるように臨ませて配設されていることにより、床Ｆ上からストレーナ５を介してドレイン受皿２内に流入する雨水を、前記流通間隙ｓから排水管部３へ円滑に排水することができる。また、上階の中継用ドレイン１から縦樋管１２を通って流下する雨水を誘導パイプ１３に流入させて、漏斗状導出口１５から排水管部３へ流すことができる。ここで、時間降雨量８０mm以上等の猛烈な豪雨時には、漏斗状導出口１５から雨水が円柱状の直下流となって激しく真下に排出され、その雨水直下流と排水管部３の内周壁との間に筒状通気領域ｔ（図１参照）が形成されることとなる。そして、縦樋管１２へ排水される大量の雨水が空気を巻き込んで縦樋管１２内に流入することにより発生する気泡が上部へ浮き上がって生じる空気を、前記筒状通気領域ｔによって外部に排出することでき、ドレイン受皿２からの雨水の流入を円滑に行わせることができるとともに、上階の中継用ドレイン１から縦樋管１２を通って流下する大量の雨水が、漏斗状導出口１５から直下流となって下階側の縦樋管１２内に直接流入するため、その流入時に巻き込まれる空気量が減少し、縦樋管１２内で発生する気泡量が減少することとなって、縦樋管１２内での雨水の体積増加が抑止されて流れが悪くなることがない。これによって、従来、猛烈な豪雨時に生じていた雨水の噴き出し現象を防止することができる。
【００３１】
また、誘導パイプ１３は、縦樋管１２の下端部に内嵌されるものであるため、ストレーナ５の上部内周面と縦樋管１２の外周面との間に僅かな隙間しかない一般的な中継用ドレイン１に適用可能である。これにより、従来の一般的な中継用ドレイン１の形状を何ら変更することなく取付けが可能であり、中継用ドレイン装置における雨水噴き出し防止装置を安価に提供することができる。
【００３２】
また、前記誘導パイプ１３が、縦樋管１２の下端とドレイン受皿２との上下間隔より小さい高さ寸法で形成されているので、施工時において、縦樋管１２の下端とドレイン受皿２との隙間から誘導パイプ１３を差し入れて、縦樋管１２の下端に内嵌することにより、誘導パイプ１３の取付けを簡単に行うことができる。ここで、かかる取付作業は、縦樋管１２をドレイン受皿２の上方位置で垂直に維持し、かつ縦樋管１２に外嵌したストレーナ５を上方にずらした状態で行い得るので、既設の中継用ドレイン装置に対する誘導パイプ１３の後付け施工も容易に行うことができる。
【００３３】
図３は、前記第一実施例の変形実施例を示し、この変形実施例は、第一実施例における誘導パイプ１３の係止部１６を除去したものである。この場合には、誘導パイプ１３の外周面に嵌入量を示す指標線（図示省略）を表示しておくことにより、縦樋管１２への嵌入量を一定とすることができる。その他の構成及び作用効果は、第一実施例と同じであるので重複する説明を省略する。
【００３４】
図４は、第二実施例を示し、この第二実施例は、誘導パイプ１３の略全体を縦樋管１２に内嵌するようにしたものである。ここで、誘導パイプ１３の導入口１４である上部内周面には、縦樋管１２との内嵌状態で該縦樋管１２の内周面から下方に向けて縮径する逆円錐状の漏斗状面１７が形成されるとともに、誘導パイプ１３の下端に前記漏斗状面１７に連続する漏斗状導出口１５が開口されている。該漏斗状導出口１５は、第一実施例と同様に、ドレイン受皿２の排水管部３の下部開口径より小径となっている。また、誘導パイプ１３の外周面には、その下端部に縦樋管１２の下端面に当接してその嵌入量を規定する係止部１６が形成されている。また、誘導パイプ１３は、縦樋管１２の下端とドレイン受皿２との上下間隔より小さい高さ寸法で形成されている。その他、第一実施例と共通する構成部分については第一実施例と同一符号を付して重複説明を省略する。
【００３５】
かかる構成にあっても、第一実施例と同様に、時間降雨量８０mm以上等の猛烈な豪雨時には、漏斗状導出口１５から雨水が円柱状の直下流となって激しく真下に排出され、その雨水直下流と排水管部３の内周壁との間に形成される筒状通気領域ｔによって、縦樋管１２内の空気を外部に排出することできる。これによって、従来、猛烈な豪雨時に生じていた雨水の噴き出し現象を防止することができる。また、誘導パイプ１３は、縦樋管１２の下端部に内嵌されるものであるため、ストレーナ５の上部内周面と縦樋管１２の外周面との間に僅かな隙間しかない一般的な中継用ドレイン１に適用可能である。
【００３６】
さらに、誘導パイプ１３が、縦樋管１２の下端とドレイン受皿２との上下間隔より小さい高さ寸法で形成されているので、施工時において、縦樋管１２の下端とドレイン受皿２との隙間から誘導パイプ１３を差し入れて、縦樋管１２の下端に内嵌することにより、誘導パイプ１３の取付けを簡単に行うことができる。これにより、誘導パイプ１３の先付け施工は勿論のこと、後付け施工も容易に行うことができる。
【００３７】
尚、図５に示す変形実施例のように、第二実施例における誘導パイプ１３の係止部１６を除去することも可能である。
【図面の簡単な説明】
【００３８】
【図１】第一実施例にかかる雨水噴き出し防止装置を備えた中継用ドレイン装置の施工状態を示す縦断面図である。
【図２】ストレーナ５の斜視図である。
【図３】第一実施例の変形実施例にかかる雨水噴き出し防止装置を備えた中継用ドレイン装置の施工状態を示す縦断面図である。
【図４】第二実施例にかかる雨水噴き出し防止装置を備えた中継用ドレイン装置の施工状態を示す縦断面図である。
【図５】第二実施例の変形実施例にかかる雨水噴き出し防止装置を備えた中継用ドレイン装置の施工状態を示す縦断面図である。
【図６】従来構成の中継用ドレイン装置の施工状態を示す縦断面図である。
【図７】ストレーナｅ内に誘導パイプｋが配設された従来構成の中継用ドレイン装置の施工状態を示す縦断面図である。
【図８】ストレーナｅ内で縦樋管ｆの下端部に接続筒ｍが外嵌された従来構成の中継用ドレイン装置の施工状態を示す縦断面図である。
【符号の説明】
【００３９】
１  中継用ドレイン
２  ドレイン受皿
３  排水管部
５  ストレーナ
１２  縦樋管
１３  誘導パイプ（雨水噴き出し防止装置）
１５  漏斗状導出口
１６  係止部
１７  漏斗状面
ｓ  流通間隙
ｔ  筒状通気領域
Ｆ  床
【図１】
2008144532.tif 000003
【図２】
2008144532.tif 000004
【図３】
2008144532.tif 000005
【図４】
2008144532.tif 000006
【図５】
2008144532.tif 000007
【図６】
2008144532.tif 000008
【図７】
2008144532.tif 000009
【図８】
2008144532.tif 000010